(57)【要約】【課題】軽量で取扱いの容易な洗面化粧台用の補強部材を提供すること。【解決手段】壁面７に洗面化粧台１００を取り付けるための洗面化粧台１００用の補強部材１であって、洗面化粧台１００の横幅よりも狭い幅を有し、洗面化粧台１００の横幅方向の一方及び他方に配置されて少なくとも二枚一組で構成される本体部１０を備える、洗面化粧台用の補強部材１である。本体部１０は、本体部１０を壁面７に取り付けるための壁面側取付部１６を有し、壁面側取付部１６は、横幅方向との直交方向に間隔を空けて複数箇所設けられ、本体部の表裏を貫通する貫通孔又は貫通溝により構成される。【選択図】図５
2020032143.tif 000002
【特許請求の範囲】
【請求項１】
壁面に洗面化粧台を取り付けるための洗面化粧台用の補強部材であって、
前記洗面化粧台の横幅よりも狭い幅を有し、前記洗面化粧台の横幅方向の一方及び他方に配置されて少なくとも二枚一組で構成される本体部を備える、洗面化粧台用の補強部材。
【請求項２】
前記本体部は、前記本体部を前記壁面に取り付けるための壁面側取付部を有し、
前記壁面側取付部は、前記横幅方向との直交方向に間隔を空けて複数箇所設けられ、前記本体部の表裏を貫通する貫通孔又は貫通溝により構成される、請求項１に記載の洗面化粧台用の補強部材。
【請求項３】
前記壁面側取付部は、前記本体部の横幅方向に並んで配置された複数の孔によって構成される組を複数、含み、
前記組を構成する複数の孔は、丸孔と、横幅方向に長い長孔とを有する、請求項２に記載の洗面化粧台用の補強部材。
【請求項４】
前記本体部は、前記本体部を前記洗面化粧台に取り付けるための洗面化粧台側取付部を有し、
前記洗面化粧台側取付部は、前記横幅方向との直交方向に間隔を空けて複数箇所設けられ、前記本体部の表裏を貫通する貫通孔又は貫通溝により構成される、請求項１〜３のいずれか１項に記載の洗面化粧台用の補強部材。
【請求項５】
前記本体部は、前記横幅方向の端部から立ち上がる立ち上がり部を有する、請求項１〜４のいずれか１項に記載の洗面化粧台用の補強部材。
【請求項６】
前記本体部は、前記横幅方向との直交方向の端部に折り曲げ部を有する、請求項１〜５のいずれか１項に記載の洗面化粧台用の補強部材。
【請求項７】
前記本体部に取り付けられ、前記本体部と前記洗面化粧台とを仮固定する仮固定部材をさらに有する、請求項１〜６のいずれか１項に記載の洗面化粧台用の補強部材。
【請求項８】
前記本体部は、金属製である、請求項１〜７のいずれか１項に記載の洗面化粧台用の補強部材。
【請求項９】
洗面化粧台の横幅よりも狭い幅を有し、前記洗面化粧台の横幅方向の一方及び他方に配置されて少なくとも二枚一組で構成される本体部を備える補強部材を用いて、壁面に前記洗面化粧台を取り付ける方法であって、
前記本体部を前記壁面に固定する第１工程と、
前記洗面化粧台を、前記補強部材を介して前記壁面に取り付ける第２工程と、を有する、洗面化粧台の設置方法。
【請求項１０】
前記補強部材は、前記本体部に取り付けられ前記本体部と前記洗面化粧台とを仮固定する仮固定部材をさらに有し、
前記第２工程の前に、前記本体部に前記仮固定部材を配置し、前記仮固定部材に前記洗面化粧台を仮固定する仮固定工程を含む、請求項９に記載の洗面化粧台の設置方法。
【発明の詳細な説明】
【技術分野】
【０００１】
本発明は、洗面化粧台用の補強部材に関する。
【背景技術】
【０００２】
従来、洗面化粧台を室内の壁面に設置する際、洗面化粧台のミラーキャビネットの背板の裏面に背板を補強する補強部材を配置することが知られている。補強部材は、ミラーキャビネットの背板と概ね同じ大きさにより形成されている（例えば、特許文献１参照）。
【先行技術文献】
【特許文献】
【０００３】
【特許文献１】特開２００８−１３６５０８号公報
【発明の概要】
【発明が解決しようとする課題】
【０００４】
補強部材をミラーキャビネットの背板と概ね同じ大きさにより構成すると、補強部材の寸法や重量が大きくなる。このため、改装時等に運搬に大きなスペースが必要となったり、重さのために移動させることが困難となったりして、取扱いが難しいという問題があった。
【課題を解決するための手段】
【０００５】
（１）  本発明は、壁面（例えば、後述の壁面７）に洗面化粧台（例えば、後述の洗面化粧台１００）を取り付けるための洗面化粧台用の補強部材（例えば、後述の補強部材１）であって、前記洗面化粧台の横幅よりも狭い幅を有し、前記洗面化粧台の横幅方向の一方及び他方に配置されて少なくとも二枚一組で構成される本体部（例えば、後述の本体部１０）を備える、洗面化粧台用の補強部材に関する。
【０００６】
（２）  前記本体部は、前記本体部を前記壁面に取り付けるための壁面側取付部（例えば、後述の壁面側取付部１６）を有し、前記壁面側取付部は、前記横幅方向との直交方向に間隔を空けて複数箇所設けられ、前記本体部の表裏を貫通する貫通孔又は貫通溝により構成されることが好ましい。
【０００７】
（３）  前記壁面側取付部は、前記本体部の横幅方向に並んで配置された複数の孔によって構成される組を複数、含み、前記組を構成する複数の孔は、丸孔（例えば、後述の丸孔１６ｂ）と、横幅方向に長い長孔（例えば、後述の長孔１６ａ）とを有することが好ましい。
【０００８】
（４）  前記本体部は、前記本体部を前記洗面化粧台に取り付けるための洗面化粧台側取付部（例えば、後述の洗面化粧台側取付部１５）を有し、前記洗面化粧台側取付部は、前記横幅方向との直交方向に間隔を空けて複数箇所設けられ、前記本体部の表裏を貫通する貫通孔又は貫通溝により構成されることが好ましい。
【０００９】
（５）  前記本体部は、前記横幅方向の端部から立ち上がる立ち上がり部（例えば、後述の立ち上がり部１２）を有することが好ましい。
【００１０】
（６）  前記本体部は、前記横幅方向との直交方向の端部に折り曲げ部（例えば、後述の折り曲げ部１３）を有することが好ましい。
【００１１】
（７）  前記本体部に取り付けられ、前記本体部と前記洗面化粧台とを仮固定する仮固定部材（例えば、後述の仮固定部材２０）をさらに有することが好ましい。
【００１２】
（８）  前記本体部は、金属製であることが好ましい。
【００１３】
（９）  洗面化粧台の横幅よりも狭い幅を有し、前記洗面化粧台の横幅方向の一方及び他方に配置されて少なくとも二枚一組で構成される本体部を備える補強部材を用いて、前記壁面に前記洗面化粧台を取り付ける方法であって、前記本体部を前記壁面に固定する第１工程（例えば、後述の第１工程Ｓ１）と、前記洗面化粧台を、前記補強部材を介して前記壁面に取り付ける第２工程（例えば、後述の第２工程Ｓ２）と、を有する、洗面化粧台の設置方法が好ましい。
【００１４】
（１０）  前記補強部材は、前記本体部に取り付けられ前記本体部と前記洗面化粧台とを仮固定する仮固定部材をさらに有し、  前記第２工程の前に、前記本体部に前記仮固定部材を配置し、前記仮固定部材に前記洗面化粧台を仮固定する仮固定工程（例えば、後述の仮固定工程Ｓ３）を含む洗面化粧台の設置方法が好ましい。
【発明の効果】
【００１５】
本発明によれば、軽量で取扱いの容易な洗面化粧台用の補強部材を提供することができる。
【図面の簡単な説明】
【００１６】
【図１】本実施形態の補強部材により取り付けられた洗面化粧台の正面図である。
【図２】図１の背面図である。
【図３】本実施形態の補強部材の片方における本体部の斜視図である。
【図４】本実施形態の仮固定部材の斜視図である。
【図５】本実施形態の補強部材により洗面化粧台が取り付けられる状態の側面図である。
【図６】本実施形態の仮固定工程を説明する図であり、（ａ）図は仮固定部材を補強部材の本体部に係合させた状態を示し（ｂ）図は、仮固定部材に洗面化粧台を仮固定した状態を示す。
【発明を実施するための形態】
【００１７】
以下、本発明の実施形態について、図面を参照しながら詳細に説明する。
図１は、本実施形態の洗面化粧台１００の正面図である。図２は、図１の背面図である。図１及び図２に示すように、洗面化粧台１００は、補強部材１により屋内の壁面７に取り付けられており、洗面化粧台１００のミラーキャビネット９と壁面７との間に、補強部材１が配置されている。
【００１８】
洗面化粧台１００は、洗面器８と、ミラーキャビネット９と、を有する。
洗面器８は、湯水等を貯水可能なボウル部８１と、ボウル部８１の後方で上方側へ立ち上がる後方壁部８２と、後方壁部８２に取り付けられる混合水栓８３と、を有する。
ミラーキャビネット９は、洗面化粧台１００の後方壁部８２の上部に配置される。ミラーキャビネット９は、手前側に扉が取り付けられ（図示せず）、内部に洗面化粧台１００で使用する洗面道具等を収容する収容空間が形成されている。図１では、ミラーキャビネット９は、扉やミラーを取り外した筺体部９０のみが図示されている。
【００１９】
筺体部９０は、手前側が開口した略直方形の形状を有し、壁面７に取り付けられる背面部９１と、横幅方向の一方及び他方に延びる長手方向の側面部９２と、横幅方向に沿って延び上端及び下端側に配置される上面部９３及び下面部９４と、を有する。また、筺体部９０の内部は、収容する物品に対応して収容空間が分割されている。
【００２０】
図２に示すように、壁面７は、壁板７１と、壁裏補強木７２とを有する。
壁板７１は、室内内壁を構成する化粧壁板である。図２には壁板７１の裏面が表れている。
壁裏補強木７２は、壁板７１の裏に、上下方向に間隔を開けて左右方向に延びる平板状の角材である。ミラーキャビネット９は、以下に説明する通り、補強部材１を介して壁板７１及び壁裏補強木７２の両方に固定される。
【００２１】
図３は補強部材１の片方における本体部１０の斜視図である。補強部材１は、洗面化粧台１００を壁面７に固定するために用いられる部品であり、本体部１０と、仮固定部材２０と、を有する。
【００２２】
本体部１０は、ミラーキャビネット９の背板に直接取り付けられる縦長の板状の部材であり、金属製である。本体部１０の横幅方向の寸法は、洗面化粧台１００の横幅よりも狭い。本体部１０は、図１及び図２に示すように、少なくとも二枚一組で構成され、洗面化粧台１００の長手方向に沿うとともに、横幅方向に間隔を開けて一方及び他方に配置される。本体部１０は、壁面側取付部１６と、洗面化粧台側取付部１５と、立ち上がり部１２と、折り曲げ部１３と、仮固定部配置部１４を有する。
【００２３】
壁面側取付部１６は、本体部１０の板面を表裏方向に貫通する貫通孔であり、本体部１０の横幅方向に直交する方向である長手方向に間隔を開けて複数個箇所設けられている。壁面側取付部１６を介して、本体部１０は、壁板７１にネジにより取り付けられる。壁面側取付部１６は、横幅方向に並んで配置される複数の孔によって構成される。壁面側取付部１６は、長孔１６ａと、丸孔１６ｂとを有する。
長孔１６ａは、本体部１０の横幅方向に長い横長の長円のネジ孔であり、本体部１０の横幅方向の一方に配置される。
丸孔１６ｂは、略円形のネジ孔であり、本体部１０の横幅方向の他方に配置される。丸孔１６ｂは、長孔１６ａが長手方向に並ぶ間隔と同じ長手方向の間隔を空けて長孔１６ａに隣接して配置されている。
長孔１６ａ及び丸孔１６ｂで一組が構成され、これらの孔の組が長手方向に沿って複数形成されている。
【００２４】
洗面化粧台側取付部１５は、本体部１０の板面を表裏方向に貫通する細長いスリット溝であり、本体部１０の長手方向に間隔を開けて複数箇所設けられている。洗面化粧台側取付部１５を介して、本体部１０は、洗面化粧台１００の背面部９１に取り付けられる。洗面化粧台側取付部１５は本体部１０の横幅方向に沿って延びる。洗面化粧台側取付部１５は、背面部９１から突出する突起に係合させて取り付けられる。
【００２５】
立ち上がり部１２は、本体部１０の長手方向の中央側で長手方向に沿って延びるとともに、本体部１０の横幅方向の両端部から略直角に立ち上がる部分である。立ち上がり部１２の立ち上がり高さは小さく、丸孔１６ｂの径程度の寸法である。
【００２６】
折り曲げ部１３は、本体部１０の下端部に配置され、本体部１０の下端縁から、本体部１０の延びる方向に交差する方向、すなわち立ち上がり部１２と同様に前面側に折り曲げられて起立する部分である。折り曲げ部１３は、本体部１０がミラーキャビネット９の背面部９１に取り付けられた状態で、洗面器８の後方壁部８２の上端に当接する。
【００２７】
仮固定部配置部１４は、本体部１０の上端で、本体部１０を構成する金属板を略コの字型に切り欠いた部分である。仮固定部配置部１４は、コの字状の切り欠きが横幅方向に二つ並んで形成されている。切り欠きは、下端側で本体部１０の他の部分と繋がっており、上端側及び側部側を手前に倒すように曲げることができる。
【００２８】
図４は、仮固定部材２０の斜視図である。仮固定部材２０は、一枚の金属製の板材を折り曲げた部品である。仮固定部材２０は、仮固定部材本体部２１と、差し込み部２２と、キャビネット支持部２３と、を有する。
仮固定部材本体部２１は、長方形の板面である。
差し込み部２２は、仮固定部材本体部２１の下端から連続して上方へ折り曲げられる部分である。差し込み部２２は、仮固定部配置部１４の切欠きを手前に倒すことでできる空間に差し込まれる。
キャビネット支持部２３は、仮固定部材本体部２１の上端から連続し、手前側に略直角に折れ曲げられる部分であり、ミラーキャビネット９の上面部９３の裏側に当接する。
【００２９】
図５は、本実施形態の補強部材により洗面化粧台１００が取り付けられる状態を示す側面図である、図６（ａ）及び図６（ｂ）は補強部材１及び仮固定部材２０を用いて洗面化粧台１００のミラーキャビネット９を取り付ける手順を示しており、図６（ａ）は仮固定部材２０を補強部材１の本体部１０に係合させた状態を示し、図６（ｂ）は、仮固定部材２０にミラーキャビネット９を仮固定した状態を示す。図６（ｂ）では、説明の便宜のため、壁板７１を省略して示している。図５〜及び図６（ｂ）を参照して、洗面化粧台用の補強部材１の設置方法について説明する。
【００３０】
まず、図５に示すように、補強部材１の本体部１０を、洗面化粧台１００を取り付ける場所の壁面７に固定する。壁面７の壁板７１の裏には、壁裏補強木７２が上下方向に間隔を開けて配置されている。そこで、壁板７１の裏に壁裏補強木７２がある位置で、壁板７１の表面側に本体部１０を配置し、壁面側取付部１６の長孔１６ａを、ネジにより締結する。この際、長孔１６ａ内でネジの位置を調節しながら、本体部１０を取り付ける。そして、本体部１０の位置を決めた後、丸孔１６ｂも締結し、本体部１０を壁板７１に取り付ける。ネジを壁板７１に貫通させて壁裏補強木７２に締結することで、壁板７１を介して本体部１０を壁裏補強木７２に固定する（第１工程Ｓ１）。補強部材１は、二つで一組とし、洗面化粧台１００を取り付ける予定の壁面７の横幅方向の一方及び他方に取り付ける。このとき、補強部材１の下端の折り曲げ部１３は、洗面器８の後方壁部８２の上端に当接させるようにする。
【００３１】
次に図６（ａ）に示すように、本体部１０に仮固定部材２０を取り付けて、補強部材１の本体部１０の上端側に配置された仮固定部配置部１４に、仮固定部材２０を差し込んで係合させる。仮固定部材２０を差し込むと、仮固定部材本体部２１の上端は、本体部１０の上端よりも上に位置し、仮固定部材本体部２１の上端から、前方に向かってキャビネット支持部２３が突出する。
【００３２】
図６（ｂ）に示すように、キャビネット支持部２３に、ミラーキャビネット９の上面部９３の裏側を載せるだけで、ミラーキャビネット９がキャビネット支持部２３により支持され、本体部１０とミラーキャビネット９とが仮固定される（仮固定工程Ｓ３）。
【００３３】
本体部１０とミラーキャビネット９とを仮固定した状態で、ミラーキャビネット９の背面部９１から突出している突起に、洗面化粧台側取付部１５を係合させてミラーキャビネット９の位置を合わせる。
その後、ミラーキャビネット９がキャビネット支持部２３により支持された状態のままで、ミラーキャビネット９を壁面７にネジで締結し、本固定する。これより、洗面化粧台１００を、補強部材１を介して壁面７に取り付ける（第２工程Ｓ２）。
なお、洗面器８は、ミラーキャビネット９を取り付けた後に壁面７に取り付けてもよく、洗面器８とミラーキャビネット９とを組み付けた状態で壁面７に取り付けてもよい。
【００３４】
本実施形態によれば、以下の効果が奏される。
本実施形態では、壁面７に洗面化粧台１００を取り付けるための洗面化粧台用の補強部材１を、洗面化粧台１００の横幅よりも狭い幅を有し、洗面化粧台１００の横幅方向の一方及び他方に配置されて少なくとも二枚一組で構成される本体部１０含んで構成した。
洗面化粧台１００を壁面７に取り付ける際に、洗面化粧台１００よりも幅の狭い補強部材１の本体部１０を、洗面化粧台１００の横幅方向の一方及び他方に取り付けることで、補強部材１を小型化することができる。補強部材１を洗面化粧台１００の背面全体に配置しなくてもよいので、補強部材１を軽量化することができ、また、運搬や取り付けが容易になる。
【００３５】
本実施形態では、本体部１０を壁面７に取り付けるための壁面側取付部１６を含んで本体部１０を構成した。また、壁面側取付部１６を、横幅方向との直交方向に間隔を空けて複数箇所設け、本体部１０の表裏を貫通する貫通孔により構成した。
本体部１０に長手方向に間隔を空けて複数貫通する孔を形成することで、壁面７の壁板７１の裏に位置している壁裏補強木７２がどの位置にあっても、孔を固定しやすい位置で所定の壁面側取付部１６にネジを挿通させることができる。これにより、壁面７に対して補強部材１の位置を容易に調整しつつ、壁板７１を介して補強部材１を壁裏補強木７２に取り付けることができる。
【００３６】
本実施形態では、壁面側取付部１６を、本体部１０の横幅方向に並んで配置された複数の孔によって構成される組を複数、含んで構成した。また、組を構成する複数の孔を、丸孔１６ｂと、横幅方向に長い長孔１６ａとにより構成した。
本体部１０の横幅方向に並んで配置される孔の組のうち、長孔１６ａを含むことで、ネジの横幅方向の位置を微調整することが可能である。本体部１０は縦に長いので、長孔１６ａでネジの位置を微調整することで、本体部１０を真っ直ぐ配置しやすい。また、丸孔１６ｂにより位置を決めて本締めすることができる。このように、長孔１６ａ及び丸孔１６ｂにより、壁面７に対して補強部材１の位置を容易に調整することができ、施工性が向上する。
【００３７】
本実施形態では、本体部１０を、本体部１０を洗面化粧台１００に取り付けるための洗面化粧台側取付部１５を含んで構成した。また、洗面化粧台側取付部１５を、横幅方向との直交方向に間隔を空けて複数箇所設け、本体部１０の表裏を貫通する貫通溝により構成
縦長の本体部１０に長手方向に間隔を空けて複数貫通する貫通孔を形成することで、洗面化粧台１００の背面部９１にある突起に洗面化粧台側取付部１５の位置を合わせやすくなる。これにより、洗面化粧台１００に対して補強部材１の位置を容易に調整しつつ、補強部材１を洗面化粧台１００に取り付けることができる。
【００３８】
本実施形態では、本体部１０を、横幅方向の端部から立ち上がる立ち上がり部１２を含んで構成した。
板状の本体部１０の横幅方向の端部から立ち上がる立ち上がり部１２が形成されることで、本体部１０の剛性が高まり、撓みにくくなる。このため、施工性が向上する。
【００３９】
本実施形態では、本体部１０を、横幅方向との直交方向の端部に折り曲げ部１３を含んで構成した。
本体部１０の下端部の折り曲げ部１３を、洗面化粧台１００の前方側へ延出させて、洗面化粧台１００の後方壁部８２に当接させることで、補強部材１を壁板７１にネジ留めするだけでなく、折り曲げ部１３が後方壁部８２の上端により支持されるので、補強部材１を確実に取り付けることができ、強度が向上する。
【００４０】
本体部１０に仮固定部材２０を取り付けて、洗面化粧台１００を仮固定部材２０により仮固定することで、洗面化粧台１００の取り付け位置をより正確に位置合わせしたり、仮固定している間に洗面化粧台１００の他の箇所の取付作業等を行ったりすることができる。このため、施工性が向上する。
【００４１】
本実施形態では、本体部１０は金属製とした。本体部１０が金属であることにより、厚さが薄くても強度が確保できる。
【００４２】
本実施形態では、洗面化粧台１００の横幅よりも狭い幅を有し、洗面化粧台１００の横幅方向の一方及び他方に配置されて少なくとも二枚一組で構成される本体部１０を備える補強部材１を用いて、壁面７に洗面化粧台１００を取り付ける方法を、本体部１０を壁面７に固定する第１工程Ｓ１と、洗面化粧台１００を、補強部材１を介して壁面７に取り付ける第２工程Ｓ２と、を含んで構成した。
少なくとも二枚一組で用いる洗面化粧台用の補強部材１を、洗面化粧台１００の一方及び他方に配置して、まず壁面７に取り付けて（Ｓ１）、それから洗面化粧台１００を補強部材１を介して壁面７に取り付ける（Ｓ２）ことで、補強部材１を小型化することができる。補強部材１を洗面化粧台１００の背面全体に配置しなくてもよいので、補強部材１を軽量化することができ、また、運搬や取り付けが容易になる。
【００４３】
本実施形態では、補強部材１を、本体部１０に取り付けられ本体部１０と洗面化粧台１００とを仮固定する仮固定部材２０をさらに含んで構成した。また、第２工程Ｓ２の前に、本体部１０に仮固定部材２０を配置し、仮固定部材２０に洗面化粧台１００を仮固定する仮固定工程Ｓ３を含んで構成した。
本体部１０に仮固定部材２０を係合させて仮固定部材２０を取り付け、洗面化粧台１００を仮固定部材２０に支持させる。洗面化粧台１００を完全に固定する前に、一時的に仮固定すると、仮固定している間に他の箇所の施工を進めたり、洗面化粧台１００の位置合わせ等を正確にした後に本固定したりすることができるので、施工性がさらに向上する。
【００４４】
以上、本発明の好ましい実施形態について説明したが、本発明は、上述の実施形態に制限されるものではなく、適宜変更が可能である。
【００４５】
例えば、上記実施形態では、二本の補強部材１を一組とし、ミラーキャビネット９の上端から下端まで延出する長さを有する形状を例に説明したが、これに限られない。一本の補強部材の長さを、上記実施形態の半分の長さ程度として、上下に隣接して配置し、横幅方向の一方と他方に二本ずつ、全部で四本用いてもよい。補強部材の長さ及び個数は、取り付ける洗面化粧台の大きさに応じて、適宜変更してよい。補強部材一つ当たりの長さが短くなることで、さらなる軽量化が実現でき、取扱いが容易になる。また、補強部材を上下に隣接させることで、上下方向の全体の長さを調整できるので、洗面化粧台の大きさや種類に対して変更が可能で、汎用性が高まる。
【００４６】
また、上記実施形態では、壁面側取付部１６を長孔１６ａや丸孔１６ｂにより構成したり、洗面化粧台側取付部１５をスリット溝により構成したりしているが、これに限られない。壁面側取付部１６及び洗面化粧台側取付部１５の形状は、貫通孔又は貫通溝であれば、形状は適宜変更されてよい。
【００４７】
また、上記実施形態では、立ち上がり部１２は、本体部１０の横幅方向の両端部に設けられているが、これに限られない。立ち上がり部は、片側の端部にのみに設けてもよい。
また、上記実施形態では、折り曲げ部１３は、下端部のみに設けられているが、これに限られない。折り曲げ部は、上端部のみに設けられてもよく、或いは、下端部と上端部との両方に設けられてもよい。
また、上記実施形態では、洗面化粧台１００は、屋内の壁面７に取り付けられているが、これに限られない。洗面化粧台を取り付ける場所は、例えば屋外でよい。屋外に取り付けられる洗面化粧台は、例えば、公衆用である。
また、上記実施形態では、本体部１０は、金属製であるが、これに限られない。本体部１０の材質は、非金属、例えば、高強度のカーボン等であってもよい。
【符号の説明】
【００４８】
１      補強部材
７      壁面
１０    本体部
１２    立ち上がり部
１３    折り曲げ部
１５    洗面化粧台側取付部
１６    壁面側取付部
１６ａ  長孔
１６ｂ  丸孔
２０    仮固定部材
１００  洗面化粧台
【図１】
2020032143.tif 000003
【図２】
2020032143.tif 000004
【図３】
2020032143.tif 000005
【図４】
2020032143.tif 000006
【図５】
2020032143.tif 000007
【図６】
2020032143.tif 000008